(57)【要約】【課題】使用済みとなった医療材料のコストを、医療現場におけるスタッフの工数を増やすことなく算出できる医療材料のコスト算出システムを提供する。【解決手段】医療材料に付された材料識別情報と前記医療材料毎のコスト情報とが関連付けられた医療材料コストテーブルを記憶する医療材料記憶部と、使用済み医療材料に一対一で対応し、前記医療材料の廃棄に伴って廃棄可能な筒状体の外周面に表示された前記材料識別情報を読取る識別情報読取部と、使用済み医療材料の前記材料識別情報を記憶させる識別情報記憶部と、前記識別情報読取部によって読取られた前記材料識別情報を含む使用済医療材料テーブルを前記識別情報記憶部に記録する識別情報記録手段と、前記使用済医療材料テーブル及び前記医療材料コストテーブルに基づいて前記医療材料のコストを算出する第１のコスト算出手段とを備える。【選択図】図２
2013135736.tif 000002
【特許請求の範囲】
【請求項１】
使用済み医療材料のコストを算出する医療材料コスト算出システムであり、
医療材料に付された材料識別情報と前記医療材料毎のコスト情報とが関連付けられた医療材料コストテーブルを記憶する医療材料記憶部と、
使用済み医療材料に一対一で対応し、前記医療材料の廃棄に伴って廃棄可能な筒状体の外周面に表示された前記材料識別情報を読取る識別情報読取部と、
使用済み医療材料の前記材料識別情報を記憶させる識別情報記憶部と、
前記識別情報読取部によって読取られた前記材料識別情報を含む使用済医療材料テーブルを前記識別情報記憶部に記録する識別情報記録手段と、
前記使用済医療材料テーブル及び前記医療材料コストテーブルに基づいて前記医療材料のコストを算出する第１のコスト算出手段とを備えることを特徴とする医療材料コスト算出システム。
【請求項２】
前記筒状体は、注射液用空容器を含むことを特徴とする請求項１記載の医療材料コスト算出システム。
【請求項３】
前記筒状体は、前記医療材料を収納する収納袋に設けられ、しかも前記収納袋と分離容易に連結される筒状部材を含むことを特徴とする請求項１又は２記載の医療材料コスト算出システム。
【請求項４】
前記使用済医療材料テーブルは、入力された医療行為を含むとともに、前記材料識別情報と前記医療行為とが関連付けられて形成され、
前記使用済医療材料テーブル及び前記医療材料コストテーブルに基づいて前記医療行為毎に使用済み医療材料のコストを算出する第２のコスト算出手段を備えることを特徴とする請求項１〜３のいずれかに記載の医療材料コスト算出システム。
【請求項５】
前記医療材料コストテーブルは、所定の医療材料が医療行為毎の診療報酬の包括範囲に含まれる医療材料であるか否かを表示する包括フラグを含み、
前記使用済医療材料テーブル及び前記医療材料コストテーブルに基づき、前記包括範囲に含まれる前記医療材料のコストである包括医療材料コストを算出する第３のコスト算出手段を備えることを特徴とする請求項１〜４のいずれかに記載の医療材料コスト算出システム。
【請求項６】
医療行為と前記医療行為毎の診療報酬を示す診療報酬情報とが関連付けられた診療報酬マスターテーブルを記憶する診療報酬マスター記憶部を備え、
前記使用済医療材料テーブル及び前記診療報酬マスターテーブルに基づいて前記医療行為毎に診療報酬を算出するとともに、前記診療報酬に占める前記包括医療材料コストの割合を算出する第４のコスト算出手段を備えることを特徴とする請求項５記載の医療材料コスト算出システム。
【請求項７】
コンピュータを、上記請求項１〜６のいずれかに記載の医療材料コスト算出システムにおける各手段として機能させるプログラム。
【請求項８】
請求項７に記載のプログラムを記録したコンピュータ読取可能な記録媒体。
【発明の詳細な説明】
【技術分野】
【０００１】
本発明は、医療現場において使用済みとなった医療材料のコストを算出する医療材料コスト算出システムに関する。
【背景技術】
【０００２】
従来、例えば手術室等の医療現場において使用される医療材料として、注射薬、点滴液、カテーテル、気管内チューブ、縫合糸、ガーゼ等の様々な種類の医療材料がある。病院における適正な診療報酬請求やコスト管理の目的から、使用済みとなった医療材料のコストは重要な管理項目である。そのため、使用済みとなった医療材料のコストを把握するための作業が医療現場のスタッフの日常業務となっている。
【０００３】
このような使用済み医療材料の把握のため、例えば手術後に注射液用空容器の外周面に表示された注射薬名を人手で読取ってリストアップする作業、或いは使用済み医療材料や当該医療材料を収納する収納袋から当該医療材料の識別情報が含まれたバーコードシール等を剥がして台紙に貼り、これらをバーコードリーダーで読取る作業が行われている。
【０００４】
しかし、このようなリストアップ作業や読取り作業は煩雑であり、看護士等のスタッフの数に制限がある医療現場においては、これらの作業に伴う工数増加が大きな負担になるという問題があった。また、人手に頼る作業のため、使用された医療材料の把握に漏れがでてしまい、コスト把握の精度が低下する虞があるという問題があった。
【０００５】
そこで、このような問題を解決するために様々な提案がされている（例えば特許文献１参照）。
【先行技術文献】
【特許文献】
【０００６】
【特許文献１】特開２００６−２５９４１号公報
【発明の概要】
【発明が解決しようとする課題】
【０００７】
特許文献１によれば、シールタイプのＲＦ−ＩＤタグを、注射器や薬品やガーゼなどの医療材料に貼り付け、貼り付けた医療材料に対応するＩＤがこれらのＲＦ−ＩＤタグに記憶され、このＩＤを読取って医療費用を算出する医療費用算出装置が開示されている。
【０００８】
しかしながら、特許文献１によれば、ＲＦ―ＩＤタグは、内部にメモリ、無線通信用アンテナ、ＩＣ等を有する微小チップであるため、バーコードシール等に比べてコストも高く、従って、ＲＦ−ＩＣタグを全ての医療材料に設けた場合、医療材料費用が高くなるという虞があった。そのため、このようなＲＦ―ＩＤタグは、例えば外部からの無線によってメモリの消去や再書込みを行って再使用されるのが一般的である。そのため、ＲＦ―ＩＤタグは、使用済みの医療材料と一緒に廃棄できないので、これらの医療材料とは別個に管理する等のリサイクル管理をする必要があり、ＲＦ―ＩＤタグの管理工数が余分に必要となる虞があるという問題があった。
【０００９】
そこで、本発明は、上記従来の問題に鑑みてなされたものであり、その目的は、医療現場において使用済みとなった医療材料のコストを、医療現場におけるスタッフの工数を増やすことなく算出できる医療材料のコスト算出システムを提供することにある。
【課題を解決するための手段】
【００１０】
請求項１の発明は、使用済み医療材料のコストを算出する医療材料コスト算出システムであり、医療材料に付された材料識別情報と前記医療材料毎のコスト情報とが関連付けられた医療材料コストテーブルを記憶する医療材料記憶部と、使用済み医療材料に一対一で対応し、前記医療材料の廃棄に伴って廃棄可能な筒状体の外周面に表示された前記材料識別情報を読取る識別情報読取部と、使用済み医療材料の前記材料識別情報を記憶させる識別情報記憶部と、前記識別情報読取部によって読取られた前記材料識別情報を含む使用済医療材料テーブルを前記識別情報記憶部に記録する識別情報記録手段と、前記使用済医療材料テーブル及び前記医療材料コストテーブルに基づいて前記医療材料のコストを算出する第１のコスト算出手段とを備える、医療材料コスト算出システムである。
【００１１】
請求項２の発明は、請求項１記載の医療材料コスト算出システムにおいて、前記筒状体は、注射液用空容器を含むことを特徴とする。
【００１２】
請求項３の発明は、請求項１又は２記載の医療材料コスト算出システムにおいて、前記筒状体は、前記医療材料を収納する収納袋に設けられ、しかも前記収納袋と分離容易に連結される筒状部材を含むことを特徴とする。
【００１３】
請求項４の発明は、請求項１〜３のいずれかに記載の医療材料コスト算出システムにおいて、前記使用済医療材料テーブルは、入力された医療行為を含むとともに、前記材料識別情報と前記医療行為とが関連付けられて形成され、前記使用済医療材料テーブル及び前記医療材料コストテーブルに基づいて前記医療行為毎に使用済み医療材料のコストを算出する第２のコスト算出手段を備えることを特徴とする。
【００１４】
請求項５の発明は、請求項１〜４のいずれかに記載の医療材料コスト算出システムにおいて、前記医療材料コストテーブルは、所定の医療材料が医療行為毎の診療報酬の包括範囲に含まれる医療材料であるか否かを表示する包括フラグを含み、前記使用済医療材料テーブル及び前記医療材料コストテーブルに基づき、前記包括範囲に含まれる前記医療材料のコストである包括医療材料コストを算出する第３のコスト算出手段を備えることを特徴とする。
【００１５】
請求項６の発明は、請求項５に記載の医療材料コスト算出システムにおいて、医療行為と前記医療行為毎の診療報酬を示す診療報酬情報とが関連付けられた診療報酬マスターテーブルを記憶する診療報酬マスター記憶部を備え、前記使用済医療材料テーブル及び前記診療報酬マスターテーブルに基づいて前記医療行為毎に診療報酬を算出するとともに、前記診療報酬に占める前記包括医療材料コストの割合を算出する第４のコスト算出手段を備えることを特徴とする。
【００１６】
請求項７の発明は、コンピュータを、上記請求項１〜６のいずれかに記載の医療材料コスト算出システムにおける各手段として機能させるプログラムである。
【００１７】
請求項８の発明は、請求項７記載のプログラムを記録した、コンピュータ読取可能な記録媒体である。
【発明の効果】
【００１８】
本発明によれば、使用済み医療材料のコストを算出する医療材料コスト算出システムであり、医療材料に付された材料識別情報と前記医療材料毎のコスト情報とが関連付けられた医療材料コストテーブルを記憶する医療材料記憶部と、使用済み医療材料に一対一で対応し、前記医療材料の廃棄に伴って廃棄可能な筒状体の外周面に表示された前記材料識別情報を読取る識別情報読取部と、使用済み医療材料の前記材料識別情報を記憶させる識別情報記憶部と、前記識別情報読取部によって読取られた前記材料識別情報を含む使用済医療材料テーブルを前記識別情報記憶部に記録する識別情報記録手段と、前記使用済医療材料テーブル及び前記医療材料コストテーブルに基づいて前記医療材料のコストを算出する第１のコスト算出手段とを備える構成であるから、例えば医療現場で使用済みとなった医療材料に係る筒状体を、その医療材料の廃棄に伴って廃棄できるので、当該筒状体をリサイクルさせる為の管理作業の工数も発生せず、医療現場において使用された医療材料のコストを、医療現場におけるスタッフの工数を増やすことなく算出できる医療材料コスト算出システムを提供できる。
【００１９】
また、前記筒状体は、注射液用空容器を含む構成であるから、医療現場で使用された注射器の廃棄物を利用し、使用済注射器のコストを安価に算出可能な医療材料コスト算出システムを提供ができる。
【００２０】
また、前記筒状体は、前記医療材料を収納する収納袋に設けられ、しかも前記収納袋と分離容易に連結される筒状部材を含む構成であるから、様々な医療材料に前記筒状部材を対応させることができ、様々な医療材料のコストを算出可能な医療材料コスト算出システムを提供ができる。
【００２１】
また、前記使用済医療材料テーブルは、入力された医療行為を含むとともに、前記材料識別情報と前記医療行為とが関連付けられて形成され、前記使用済医療材料テーブル及び前記医療材料コストテーブルに基づいて前記医療行為毎に使用済み医療材料のコストを算出する第２のコスト算出手段を備える構成であるから、例えば手術毎に使用された医療材料のコストを算出可能な医療材料コスト算出システムを提供ができる。
【００２２】
また、前記医療材料コストテーブルは、所定の医療材料が医療行為毎の診療報酬の包括範囲に含まれる医療材料であるか否かを表示する包括フラグを含み、前記使用済医療材料テーブル及び前記医療材料コストテーブルに基づき、前記包括範囲に含まれる前記医療材料のコストである包括医療材料コストを算出する第３のコスト算出手段を備える構成であるから、医療行為毎の診療報酬の包括範囲に含まれる医療材料のコストを算出可能な医療材料コスト算出システムを提供できる。
【００２３】
また、医療行為と前記医療行為毎の診療報酬を示す診療報酬情報とが関連付けられた診療報酬マスターテーブルを記憶する診療報酬マスター記憶部を備え、前記使用済医療材料テーブル及び前記診療報酬マスターテーブルに基づいて前記医療行為毎に診療報酬を算出するとともに、前記診療報酬に占める前記包括医療材料コストの割合を算出する第４のコスト算出手段を備える構成であるから、医療行為毎の診療報酬のうち包括医療材料のコスト割合を算出可能な医療材料コスト算出システムを提供できる。
【図面の簡単な説明】
【００２４】
【図１】本発明の実施形態に係る筒状体の例の説明図である。
【図２】本発明の実施形態に係る医療材料コスト算出システム例のハードウェア構成例を示す構成図である。
【図３】本発明の実施形態に係る医療材料コストテーブル例の説明図である。
【図４】本発明の実施形態に係る使用済医療材料テーブル例の説明図である。
【図５】本発明の実施形態に係る診療報酬マスターテーブル例の説明図である。
【図６】本発明の実施形態に係る処理フロー例を説明するフローチャートである。
【図７】本発明の実施形態に係る入力画面例の説明図である。
【図８】本発明の実施形態に係る処理フロー例を説明するフローチャートである。
【図９】本発明の実施形態に係る入力画面例の説明図である。
【発明を実施するための形態】
【００２５】
以下、本発明の実施形態に係る医療材料コスト算出システムついて図を用いて説明する。
【００２６】
本発明において、医療材料とは、注射液、カテーテル、気管内チューブ、縫合糸、ガーゼ等の様に病院の手術室、検査室並びに処置室等において使用される薬液や消耗品を意味する。
【００２７】
このうち、注射液は、公知のアンプル、バイアル或いはあらかじめ注射器に注射液を充填したいわゆるプレフィルドタイプのシリンジ等に充填される。そして、注射液用空容器とは、図１（ａ）に示すように、注射液が使用されて空になった状態の空シリンジ２、空アンプル３、空バイアル４等を意味する。これらの注射液用空容器は、円筒形に限られるものではなく、例えば略六角形の断面形状を有する六角筒形、略楕円形に近い長方形状の断面形状を有する筒形等と様々な筒状体で形成され、図１（ａ）に示すように、その外周面にバーコードラベル５を貼設される。このバーコードラベル５は、当該注射液用空容器に充填されていた注射液の名称、重量等の当該注射液に対応する材料識別情報を含むものである。
【００２８】
次に、本実施形態において、カテーテル、気管内チューブ、縫合糸、ガーゼ等は、図１（ｂ）に示すように、これらを収納する収納袋６に封止され、使用の際に開封されて用いられる。そして収納袋６には、切断容易な環状細紐７を介して筒状部材８が一個取付けられる。この筒状部材８は、例えば合成樹脂製で中空円筒状に形成され、図１（ｂ）に示すように、その外周面に、バーコードラベル５を貼設される。当該バーコードラベル５は、当該収納袋に収納される医療材料の名称、個数等の当該医療材料に対応する材料識別情報を含むものである。
なお、本実施形態において、筒状部材８は、環状細紐７を介して収納袋６に取付けられるが、例えば離脱容易に収納袋６に貼設されて設けられてもよい。また例えば、切断を容易とするミシン目等が入った薄いシートを介して筒状部材８と収納袋６とが連結されてもよい。
【００２９】
このように、本実施形態の注射液用空容器２，３，４及び筒状部材８は、使用済み医療材料に一対一で対応し、前記医療材料の廃棄に伴って廃棄可能な筒状体であって、その外周面に材料識別情報を表示する筒状体を構成するのである。そして、これらの筒状体は、前記医療材料の廃棄に伴って例えば所定の収容箱に収容される。
【００３０】
また、本実施形態において医療行為とは、例えば社会保険研究所発行「医科点数表の解釈」平成２０年４月版に示される検査、手術等のことを意味する。
【００３１】
また、医療行為毎の診療報酬を示す診療報酬情報とは、例えば社会保険研究所発行「医科点数表の解釈」平成２０年４月版に示される医療行為毎の医科点数を意味する。
【００３２】
本実施形態の医療材料コスト算出システムは、例えば病院の手術室等において使用済みとなった医療材料のコストを算出する際に用いられるシステムである。以下、本実施形態の医療材料コスト算出システム１０のハードウェア構成例について図２を用いて説明する。
［ハードウェア構成］
本実施形態の医療材料コスト算出システム１０は、図２に示すように、サーバー２０、医事課端末ＰＣ３０、手術室端末ＰＣ４０、検査室端末ＰＣ６０、識別情報読取部５０を備える。
【００３３】
サーバー２０は、例えば公知のパソコン等を用いることができ、図２に示すように、制御部２１、記憶部２２を備える。
制御部２１は、図示しないＣＰＵ、ワーキングメモリを備えており、図２に示すように、例えばネットワーク３１を介して医事課端末ＰＣ３０、手術室端末ＰＣ４０、検査室端末ＰＣ６０に接続される。
【００３４】
次に、記憶部２２は、公知のハードディスク装置で形成され、図２に示す様に、制御部２１に接続される。本実施形態の記憶部２２は、図２に示すように、医療材料記憶部２３、識別情報記憶部２５及び診療報酬マスター記憶部２７を含む。
【００３５】
医療材料記憶部２３は、図２に示すように、医療材料コストテーブル２４を含む。この医療材料コストテーブル２４には、図３に示すように、医療材料名、当該医療材料に付される材料識別情報、当該医療材料の仕入値等のコスト情報及び包括フラグ（後述）が医療材料毎に関連付けられて予め登録される。図３において符号２４ａは、気管内チューブ等の医療材料コストテーブル例、符号２４ｂは、注射用アンプル等の医療材料コストテーブル例、符号２４ｃは、ガーゼや縫合糸等の医療材料コストテーブル例を示す。
【００３６】
次に、図３において、包括フラグは、所定の医療材料が医療行為毎の診療報酬の包括範囲に含まれる医療材料であるか否かを表示する表示手段である。ここで、「医療材料が医療行為毎の診療報酬の包括範囲に含まれる」とは、上述した医療行為毎の医科点数内に含まれる医療材料であることを意味する。すなわち医療行為毎の診療報酬の包括範囲に含まれる医療材料の場合、使用した数量に応じて医療報酬を請求できず、一方、包括範囲に含まれない医療材料の場合、使用した数量に応じて診療報酬を請求できるのである。
具体的には、包括フラグが「０」の場合、当該医療材料は診療報酬の包括範囲に含まれないことを示し、包括フラグが「１」の場合、当該医療材料は包括範囲に含まれることを示す。
【００３７】
次に、識別情報記憶部２５は、図２に示すように、使用済医療材料テーブル２６を含む。この使用済医療材料テーブル２６には、図４に示すように、患者氏名、当該患者の患者ＩＤ、当該患者の手術年月日、当該年月日に行われた医療行為及び当該医療行為毎の一つ又は複数の使用済医療材料リストからなる。例えば、図４の使用済医療材料テーブル２６において、医療行為は、術式１「乳房部分切除術」に術式２「センチネルリンパ節」が加算された医療行為であることを表す。また、当該医療行為において使用済みとなった医療材料は、「気管内チューブ」が１個、「バルーントレイＡ」が１個、「ガーゼＡ」が２つ、「縫合糸Ａ」が２つであることを示す。この使用済医療材料テーブル２６の作成に関しては後述する処理フローにおいて説明する。
【００３８】
次に、診療報酬マスター記憶部２７は、図１に示すように、診療報酬マスターテーブル２８を含む。この診療報酬マスター記憶部２７には、図５に示すように、医療行為名、当該医療行為に付されたコード及び当該医療行為に対応する診療報酬情報が医療行為毎に関連付けられて予め登録される。図５において符号２８ａは、人工関節置換術等に係る診療報酬マスターテーブル例、符号２８ｂは、乳房部分削除術等に係る診療報酬マスターテーブル例、符号２８ｃは、赤血球沈降速度測定等の検査行為に係る診療報酬マスターテーブル例を示す。
このように構成されるサーバー２０は、制御部２１が、例えば医事課端末ＰＣ３０からの入力信号の処理、記憶部２２へのデータの書込み処理、医事課端末ＰＣ３０の表示部への表示処理、医事課端末ＰＣ３０の出力部への出力処理、手術室端末ＰＣ４０及び検査室端末ＰＣ６０への指示等の各種処理を実行する。
【００３９】
次に、医事課端末ＰＣ３０、手術室端末ＰＣ４０及び検査室端末ＰＣ６０は、公知のパソコンでそれぞれ構成され、ＣＰＵ、ディスプレイ等の表示部、キーボードやマウス等の入力部と、メモリ並びにプリンター等の出力部をそれぞれ備える。そして、図２に示すように、医事課端末ＰＣ３０は医事課に、手術室端末ＰＣ４０は手術室に、検査室端末ＰＣ６０は検査室にそれぞれ配置され、ネットワーク３１を介してサーバー２０に接続される。また表示部は、制御部２１の指示により、ＧＵＩ（Ｇｒａｐｈｙｃａｌ  Ｕｓｅｒ  Ｉｎｔｅｒｆａｃｅ）画面を表示させる。このＧＵＩ画面には、キーボード入力やマウス操作に必要な各種エリア、ウインドウやボタン等が表示されるが、この点については後述する。
【００４０】
次に、識別情報読取部５０は、様々な断面形状を有する筒状体の外周面に表示された情報を読取り可能なものであり、例えば本願発明者による特許出願の特願２００８−２９０４８２に示される注射液用空容器の情報読取装置を備える。
すなわち、識別情報読取部５０は、略筒状の注射液用空容器の外周面に付されたラベルの情報を、前記注射液用空容器をその筒長方向の略中心軸回りに回転させつつ読取る注射液用空容器の情報読取装置であって、前記筒長方向を略水平方向にして配置される前記注射液用空容器を下方から支持する長尺状の容器支持部と、前記容器支持部の長手方向に直交する方向の略中央部に配置され、前記容器支持部で支持された前記注射液用空容器の側部を着脱可能に挟持する第１の容器挟持機構と、前記第１の容器挟持機構に代わって前記注射液用空容器を挟持する挟持機構であって、前記注射液用空容器の両端部を着脱可能に挟持する第２の容器挟持機構と、前記第２の容器挟持機構によって挟持された前記注射液用空容器の外周面を撮像する撮像部とを備え、前記第１の容器挟持機構は、前記注射液用空容器の一方の側部側に配置される略「く」字状の屈曲部であって、前記長手方向から見た場合に頂点が前記側部から離隔する方向に屈曲した第１屈曲部をそれぞれ有し、前記長手方向に離隔しつつ対向配置される一対の第１挟持体と、前記注射液用空容器の他方の側部側に配置される屈曲部であって、前記第１屈曲部と互いに向き合うように形成された略逆「く」字状の第２屈曲部を有し、前記一対の第１挟持体の間に進入可能な第２挟持体と、前記一対の第１挟持体を水平方向であって前記長手方向に略直交する方向に沿って進退させつつ、前記第２挟持体を前記進退の方向と逆方向に進退させる駆動機構とを備え、前記駆動機構によって一対の前記第１屈曲部と前記第２屈曲部とが略相対向して接離移動するとともに、接近時に前記注射液用空容器の前記筒長方向の中心軸を、前記第１屈曲部の頂点と前記第２屈曲部の頂点どうしを結ぶ直線の略中心に交差させつつ前記注射液用空容器を挟持し、前記第２の容器挟持機構は、前記注射液用空容器を、前記略中心軸周りに回転可能に挟持することを特徴とする注射液用空容器の情報読取装置である。なお、この注射液用空容器の情報読取装置についてはその詳細な説明を省略する。
【００４１】
本実施形態の識別情報読取部５０は、上述した収容箱から筒状体を取出すピッキング装置を更に備え、ピッキング装置で取出した筒状体を上述した容器支持部に載置してもよい。そして、識別情報読取部５０は、図２に示すように、手術室及び検査室にそれぞれ配置され、手術室端末ＰＣ４０及び検査室端末ＰＣ６０にそれぞれ接続される。このように構成される識別情報読取部５０は、例えば端末ＰＣ４０，６０からの指示を受けて筒状体２，３，４，８の外周面に貼設されたバーコードラベル５からそれぞれの材料識別情報を読取るとともに、読取った材料識別情報をこれらの端末ＰＣ４０，６０に送信する。
【００４２】
以下、本実施形態の医療材料コスト算出システム１０において実行される処理フロー例について図６〜図９を用いて説明する。
【００４３】
［識別情報記録フロー］
識別情報読取部５０によって読取られた使用済み医療材料の材料識別情報を識別情報記憶部２５に記録する識別情報記録フロー例を、図６及び図７を用いて説明する。なお、手術室を例にとって説明するが、検査室においても同様である。
まず、図６に示すように、ステップＳ１０において、制御部２１は、手術室端末ＰＣ４０の表示部に、上述したＧＵＩ画面である入力画面４１を表示する。
【００４４】
本実施例の入力画面４１は、図７に示すように、患者氏名、患者ＩＤ、手術年月日、診療科、術式等を入力する第１作業エリア４２や、手術に用いられた麻酔、ガス等を入力する第２作業エリア４３を含む。手術室の作業者は、入力画面４１を介して、患者氏名、患者ＩＤ、手術年月日、診療科、術式等を入力できる。
【００４５】
また、入力画面４１には、図７に示すように、識別情報読取部５０に対して読取り指示を行う読取開始ボタン４７、識別情報読取部５０によって読取られた材料識別情報を識別情報記憶部２５に記録させるための記録ボタン４９、入出力画面の内容を印刷するための印刷ボタン４８、入力画面４１を閉じるための閉ボタン５２、入力内容をクリアするためのクリアボタン５１が配置されている。
【００４６】
さらに入力画面４１は、図７に示すように、医療材料表示エリア４４を含むが、この医療材料表示エリア４４には、手術室で使用される医療材料のリストと当該医療材料が使用された否かを示すチェック欄４５、或いは当該医療材料の使用量等を表示する使用量表示欄４６が表示される。そして、これらの、チェック欄４５或いは使用量表示欄４６には、識別情報読取部５０で読取った結果に応じて、制御部２１の指示によりチェック欄４５にチェックが表示され、使用量表示欄４６に本数等の使用量が表示される構成となっている。
このように、入力画面４１は、患者氏名、患者ＩＤ、医療行為としての術式、手術年月日、医療材料が関連付けられて入力可能な構成となっている。
【００４７】
ここで、図６の処理フロー例の説明に戻る。
次に、ステップＳ１２において、制御部２１は、読取開始ボタン４７がクリックされたか否かを判断し、クリックされた場合は処理をステップＳ１３に移し、クリックされなかった場合は処理をステップＳ１７に移す。
【００４８】
次に、ステップＳ１３において、制御部２１は、手術室端末ＰＣ４０に識別情報読取部５０に読取指示を送信する。次に、前記読取指示を受けた手術室端末ＰＣ４０は、識別情報読取部５０に対して読取り指示を送る。そして、識別情報読取部５０は、筒状体２，３，４，８の外周面に貼設されたバーコードラベル５から材料識別情報を読取り、その材料識別情報を手術室端末ＰＣ４０に送信する。次に、前記材料識別情報を受信した手術室端末ＰＣ４０は、手術室端末ＰＣ４０のメモリに前記材料識別情報を一旦記録する。なお、本実施形態において、手術室端末ＰＣ４０を介して識別情報読取部５０に指示をしているが制御部２１から直接に識別情報読取部５０に指示してもよい。
【００４９】
次に、ステップＳ１４において、制御部２１は、手術室端末ＰＣ４０のメモリに記録された前記材料識別情報に基づいて、入力画面４１のチェック欄４５にチェックを入れる指示及び使用量表示欄４６に本数等の使用量を表示する指示を手術室端末ＰＣ４０に送る。前記指示を受けた手術室端末ＰＣ４０は、入力画面４１のチェック欄４５にチェックを入れる、使用量表示欄４６に本数等の使用量を表示する、入力画面４１の再表示処理を行う。
図７は、再表示後の入力画面４１を示し、例えば気管内チューブＡ７．５ｍｍ、バルーントレイＡ、注射用生食（生理食塩水）２０ｍｌ等が識別情報読取部５０によって読取られたことを示す。
【００５０】
次に、ステップＳ１５において、制御部２１は、記録ボタン４９がクリックされたか否かを判断し、クリックされた場合は処理をステップＳ１６に移し、クリックされなかった場合は、処理をステップＳ１７に移す。
【００５１】
次に、ステップＳ１６において、制御部２１は、入力画面４１を介して入力された情報に基づいて使用済医療材料テーブル２６を作成し、識別情報記憶部２５に記録する、すなわち書き込む。
【００５２】
次に、ステップＳ１７において、制御部２１は、閉ボタン５２がクリックされたか否かを判断し、クリックされた場合は処理を終了させ、クリックされなかった場合は処理をステップＳ１０に移す。
このように、サーバー２０は、識別情報読取部５０によって読取られた材料識別情報を含む使用済医療材料テーブル２６を作成するとともに識別情報記憶部２５に記録する識別情報記録手段として機能する構成となっているのである。
【００５３】
［コスト算出フロー例］
次に、使用済み医療材料のコスト算出フロー例について図８及び図９を用いて説明する。
まず、図８に示す様に、ステップＳ２０において、制御部２１は、入力画面５３を医事課端末ＰＣ３０の表示部に表示させる。
【００５４】
本実施例の入力画面５３は、図９に示すように、算出対象入力エリア５４、算出条件設定エリア５５を含む。
算出対象入力エリア５４は、図９に示すように、手術室ラジオボタン５６、検査室ラジオボタン５７及び全てラジオボタン５８を備える。手術室ラジオボタン５６にチェックが入った場合、手術室端末ＰＣ４０から入力された使用済み医療材料のコスト算出が可能となり、検査室ラジオボタン５７にチェックが入った場合、検査室端末ＰＣ６０から入力された使用済み医療材料のコスト算出が可能となり、全てラジオボタン５８にチェックが入った場合、手術室端末ＰＣ４０から入力された使用済み医療材料及び検査室端末ＰＣ６０から入力された使用済み医療材料両方の合計を算出可能な構成となっている。
【００５５】
また、算出条件設定エリア５５は、図９に示すように、日付指定チェックボックス６１、患者指定チェックボックス６２、医療行為名チェックボックス６３、包括割合チェックボックス６７が配置される。
そして、日付指定チェックボックス６１にチェックが入ると、日付入力欄７２からの日付の入力が有効となり、患者指定チェックボックス６２にチェックが入ると、患者ＩＤ入力欄７３から患者ＩＤの入力が有効となり、医療行為名チェックボックス６３にチェックが入ると医療行為入力欄７４から医療行為名の入力が有効となる構成となっている。
【００５６】
また、医療行為名チェックボックス６３にチェックが入ると、さらに出来高ラジオボタン６４、包括ラジオボタン６５、全てラジオボタン６６及び包括割合チェックボックス６７からの入力が有効となるが、この点については後述する。
【００５７】
また、入力画面５３には、図９に示すように、制御部２１に対してコスト算出処理指示を行うための開始ボタン６９、入力内容をクリアするためのクリアボタン６８、算出されたコストの内容を印刷するための印刷ボタン４８、入力画面５３を閉じるための閉ボタン７１が配置されている。
【００５８】
ここで、図８の処理フロー例の説明に戻る。
次に、ステップＳ２１において、制御部２１は、開始ボタン６９がクリックされた場合は処理をステップＳ２２に移し、クリックされなかった場合は処理をステップＳ２３に移す。
【００５９】
次に、ステップＳ２２において、制御部２１は、ステップＳ２０で入力された条件を参照して、使用済み医療材料のコストを算出する。
例えば、入力画面５３において、手術室ラジオボタン５６にチェック、日付指定チェックボックス６１にチェックが入り、日付入力欄７２に日付が入力された場合、制御部２１は、第１のコスト算出手段として機能し、使用済医療材料テーブル２６の日付及び材料識別情報並びに医療材料記憶部に記憶された医療材料コストテーブル２４のコスト情報に基づいて日付入力欄７２に入力された期間の使用済医療材料のコストを合算する処理を実行する。そして、制御部２１は、その結果を記憶部２２の所定領域に記録する。
【００６０】
また、例えば、入力画面５３において、手術室ラジオボタン５６、患者指定チェックボックス６２、医療行為名チェックボックス６３及び全てラジオボタン６６にチェックが入った場合、制御部２１は、第２のコスト算出手段として機能し、医療行為入力欄７４に入力された医療行為と同じ使用済医療材料テーブル２６の医療行為、材料識別情報並びに医療材料コストテーブル２４のコスト情報に基づいて医療材料のコストを医療行為毎に合算する処理を実行する。そして、制御部２１は、その結果を記憶部２２の所定領域に記録する。
【００６１】
また、例えば、入力画面５３において、手術室ラジオボタン５６、患者指定チェックボックス６２、医療行為名チェックボックス６３及び包括ラジオボタン６５にチェックが入った場合、制御部２１は、第３のコスト算出手段として機能し、医療行為入力欄７４に入力された医療行為と同じ使用済医療材料テーブル２６の医療行為、材料識別情報並びに医療材料コストテーブル２４のコスト情報及び包括フラグに基づいて、前記医療行為毎であって、包括フラグの「１」が表示された医療材料のコストの合算である包括医療材料コストを算出する処理を実行する。そして、制御部２１は、その結果を記憶部２２の所定領域に記録する。
【００６２】
また、例えば、入力画面５３において、手術室ラジオボタン５６、患者指定チェックボックス６２、医療行為名チェックボックス６３、包括ラジオボタン６５及び包括割合チェックボックス６７にチェックが入った場合、制御部２１は、第４のコスト算出手段として機能し、医療行為入力欄７４に入力された医療行為と同じ使用済医療材料テーブル２６の医療行為及び診療報酬マスターテーブル２８に基づいて前記医療行為の診療報酬を算出（例えば医科点数×１０円）するとともに、前記診療報酬に占める前記包括医療材料コストの割合を算出する処理を実行する。そして、制御部２１は、その結果を記憶部２２の所定領域に記録する。
【００６３】
次に、ステップＳ２３において、制御部２１は、閉ボタン７１がクリックされたか否かを判断し、クリックされた場合は処理を終了させ、クリックされなかった場合は処理をステップＳ２０に移す。
【００６４】
このように、例えば医事課のスタッフは、入力画面５３を介して、種々の条件を設定して使用済み医療材料のコストを算出可能な構成となっている。
【００６５】
また、制御部２１を、上述したようにして算出した結果を所定の帳票としてプリンター等に打ち出す帳票出力手段として機能させてもよい。
【００６６】
これまで説明した実施形態によれば、所定の収容箱に廃棄された注射液用空容器２，３，４及び筒状部材８を利用し、医療現場において使用された医療材料のコストを、医療現場におけるスタッフの工数を増やすことなく算出できる医療材料コスト算出システム１０を提供できる。
【００６７】
以上、本発明の実施形態のうちのいくつかを図面に基づいて詳細に説明したが、これらはあくまでも例示であり、当業者の知識に基づいて種々の変形、改良を施した他の形態で本発明を実施することが可能である。
【符号の説明】
【００６８】
２，３，４   
注射液用空容器（筒状体）
５  バーコードラベル（材料識別情報）
８  筒状部材（筒状体）
１０  医療材料コスト算出システム
２０  サーバー（識別情報記録手段）
２１  制御部（コスト算出手段）
２３  医療材料記憶部
２４  医療材料コストテーブル
２５  識別情報記憶部
２６  使用済医療材料テーブル
２７  診療報酬マスター記憶部
２８  診療報酬マスターテーブル
５０  識別情報読取部
【図１】
2013135736.tif 000003
【図２】
2013135736.tif 000004
【図３】
2013135736.tif 000005
【図４】
2013135736.tif 000006
【図５】
2013135736.tif 000007
【図６】
2013135736.tif 000008
【図７】
2013135736.tif 000009
【図８】
2013135736.tif 000010
【図９】
2013135736.tif 000011